(57)【要約】      （修正有）【課題】穴を開けて壁を破壊する必要がなく、力の強さを制御しやすく、過剰又は過不足に締めることがないカーテンを穴無しで取付けるアタッチメントを提供する。【解決手段】カーテンを穴無しで取付けるアタッチメントはカーテン取付けホルダに挿入して接続され、その内部にキャビティが設けられる取付座１と、取付け壁に当接する調整突き出しブロック２であって、キャビティに摺動して嵌められ、キャビティを経由して取付座１の外まで貫通する接続軸が設けられる調整突き出しブロック２と、キャビティ内に取り付けられ、少なくとも一端が取付座１の外部に連通する駆動部材３と、接続軸を嵌めて接続するとともに、駆動部材３と垂直にクロスして連動するように組立てられる連動部材と、連動部材が螺合して接続され、調整突き出しブロック２の軸方向における移動を規制するためのロック部材と、を含む。【選択図】図１
0003232395.tif 000002
【実用新案登録請求の範囲】
【請求項１】
カーテン取付けホルダに挿入して接続され、その内部にキャビティが設けられる取付座と、
取付け壁に当接する調整突き出しブロックであって、キャビティに摺動して嵌められ、キャビティを経由して取付座の外まで貫通する接続軸が設けられる調整突き出しブロックと、
キャビティ内に取り付けられ、少なくとも一端が取付座の外部に連通する駆動部材と、
接続軸を嵌めて接続するとともに、駆動部材と垂直にクロスして連動するように組立てられる連動部材と、
連動部材が螺合して接続され、調整突き出しブロックの軸方向における移動を規制するためのロック部材と、を含む
ことを特徴とするカーテンを穴無しで取付けるアタッチメント。
【請求項２】
前記接続軸は第１弾性部材によって嵌められ、当該第１弾性部材の両端は、それぞれ、連動部材の端部及び調整突き出しブロックに当接し、自然状態では、当該第１弾性部材が圧縮状態にあるため、調整突き出しブロックを外へ突き出すように押圧する
ことを特徴とする請求項１に記載のカーテンを穴無しで取付けるアタッチメント。
【請求項３】
前記調整突き出しブロックには第１弾性部材を収容する収容腔が開設され、当該第１弾性部材と収容腔の内部の底面とが当接し、前記接続軸は、第１弾性部材と連動部材との間に介設される第１ガスケットによって嵌められる
ことを特徴とする請求項２に記載のカーテンを穴無しで取付けるアタッチメント。
【請求項４】
前記駆動部材はキャビティ内に調整突き出しブロックから離れる側に設けられるウォームであり、前記連動部材はウォームに合わせるネジホイール部及びロック部材に合わせるネジ部を含み、前記取付座にはウォームの端部が外部に連通するようにキャビティに連通する貫通孔が開設される
ことを特徴とする請求項２に記載のカーテンを穴無しで取付けるアタッチメント。
【請求項５】
前記ネジホイール部とネジ部とが歯面で噛合して連動し、前記接続軸は第２弾性部材によって嵌められ、前記取付座にはキャビティに連通し、かつ第２弾性部材を収容する取付腔が設けられ、前記第２弾性部材の両端は、それぞれ、ネジホイール部及び取付腔の内部の底面に当接し、自然状態では、当該第２弾性部材が圧縮状態にあるため、ネジホイール部を押圧してネジ部に噛合させる
ことを特徴とする請求項４に記載のカーテンを穴無しで取付けるアタッチメント。
【請求項６】
前記ロック部材上には円孔が開設され、当該円孔内にはネジ部の雄ネジに合わせる雌ネジが設けられる
ことを特徴とする請求項４に記載のカーテンを穴無しで取付けるアタッチメント。
【請求項７】
前記ロック部材の先端から対称して設けられる２つのガイドアームが延伸し、前記調整突き出しブロック上にはガイドアームに合わせるガイド溝が設けられる
ことを特徴とする請求項６に記載のカーテンを穴無しで取付けるアタッチメント。
【請求項８】
前記接続軸の、取付座を貫通する端部には、接続軸に螺合して接続されるネジと、ネジと接続軸との間に設けられ、かつ自然状態で取付座に当接して位置規制する第３ガスケットとが設けられる
ことを特徴とする請求項１に記載のカーテンを穴無しで取付けるアタッチメント。
【請求項９】
ロック部材の移動状態を観察するために、前記取付座の側壁にはキャビティに連通する窓口が開設される
ことを特徴とする請求項１に記載のカーテンを穴無しで取付けるアタッチメント。
【請求項１０】
取付けホルダ、接続部材、スクリーン及び請求項１−９いずれか１項に記載のカーテンを穴無しで取付けるアタッチメントを含み、当該接続部材及びアタッチメントは同じ軸線に沿って取付けホルダの両端に挿入して接続され、当該スクリーンは取付けホルダの下方に接続される
ことを特徴とするカーテン。
【考案の詳細な説明】
【技術分野】
【０００１】
本考案は、カーテン取付アタッチメントの技術分野に関し、特にカーテンを穴無しで取付けるアタッチメント及びそのカーテンに関する。
【背景技術】
【０００２】
カーテンは、主に室内の光線を調整するために、家庭や職場などの場所で幅広く使用されており、現在、ロールカーテン、ブラインド、ハニカムスクリーンなどがよく使用されている。取付ける際に、一般的には、取付けコードやネジを使用してカーテンを窓枠に固定する必要があり、ネジで取付けると窓枠上にネジ穴が形成されるため、カーテンを再度取付ける、又は交換する際に改めて穴を開ける必要があり、元の位置で取付けることができず、これにより、窓枠の壁に複数のネジ穴が残留してしまい、壁を破壊するだけでなく、美観度も影響し、さらに、穴を開けて取付けると、ほこりが立ち、掃除も不便となり、取付け作業に手間がかかる。  
【０００３】
現在の市場では穴無しで取付けられるカーテンは多数あるが、基本的に弾性組立てで窓枠上に支持し、そして、ロック部材により位置規制をロックし取付けを完成する。従来の構造設計は比較的複雑であり、かつ、ロック部材を操作しにくい。ロック部材は取付け壁側に近く設けられることが多く、取付け壁に近接するため、人々の操作難易度が高く、過度に締めると部品を損壊しやすく、又は、過不足に締めるとカーテンの脱落事故が発生しやすい。  
【考案の概要】
【０００４】
上記した従来技術の現状に鑑み、本考案が解決しようとする技術問題は、構造が簡単で、穴を開けて壁を破壊することなくカーテンを速やかに取付けることができるとともに、過剰又は過不足にロックすることなく、簡単にロックできるカーテンを穴無しで取付けるアタッチメント及びそのカーテンを提供する。  
【０００５】
本考案が上記技術問題を解決するために採用する技術案は、以下のようである。  カーテンを穴無しで取付けるアタッチメントは、
カーテン取付けホルダに挿入して接続され、その内部にキャビティが設けられる取付座と、
【０００６】
取付け壁に当接する調整突き出しブロックであって、キャビティに摺動して嵌められ、キャビティを経由して取付座の外まで貫通する接続軸が設けられる調整突き出しブロックと、
キャビティ内に取り付けられ、少なくとも一端が取付座の外部に連通する駆動部材と、
接続軸を嵌めて接続するとともに、駆動部材と垂直にクロスして連動するように組立てられる連動部材と、
連動部材が螺合して接続され、調整突き出しブロックの軸方向における移動を規制するためのロック部材と、を含む。
【０００７】
さらに、前記接続軸は第１弾性部材によって嵌められ、当該第１弾性部材の両端は、それぞれ、連動部材の端部及び調整突き出しブロックに当接し、自然状態では、当該第１弾性部材が圧縮状態にあるため、調整突き出しブロックを外へ突き出すように押圧する。
【０００８】
さらに、前記調整突き出しブロックには第１弾性部材を収容する収容腔が開設され、当該第１弾性部材と収容腔の内部の底面とが当接し、前記接続軸は、第１弾性部材と連動部材との間に介設される第１ガスケットによって嵌められる。
【０００９】
さらに、前記駆動部材はキャビティ内に調整突き出しブロックから離れる側に設けられるウォームであり、前記連動部材はウォームに合わせるネジホイール部及びロック部材に合わせるネジ部を含み、前記取付座にはウォームの端部が外部に連通するようにキャビティに連通する貫通孔が開設される。
【００１０】
さらに、前記ネジホイール部とネジ部とが歯面で噛合して連動し、前記接続軸は第２弾性部材によって嵌められ、前記取付座にはキャビティに連通し、かつ第２弾性部材を収容する取付腔が設けられ、前記第２弾性部材の両端は、それぞれ、ネジホイール部及び取付腔の内部の底面に当接し、自然状態では、当該第２弾性部材が圧縮状態にあるため、ネジホイール部を押圧してネジ部に噛合させる。
【００１１】
さらに、前記接続軸は、第２弾性部材とネジホイール部との間に介設される第２ガスケットによって嵌められる。
さらに、前記ロック部材上には円孔が開設され、当該円孔内にはネジ部の雄ネジに合わせる雌ネジが設けられる。
【００１２】
さらに、前記ロック部材の先端から対称して設けられる２つのガイドアームが延伸し、前記調整突き出しブロック上にはガイドアームに合わせるガイド溝が設けられる。
【００１３】
さらに、前記接続軸の、取付座を貫通する端部には、接続軸に螺合して接続されるネジと、ネジと接続軸との間に設けられ、かつ自然状態で取付座に当接して位置規制する第３ガスケットとが設けられる。
さらに、ロック部材の移動状態を観察するために、前記取付座の側壁にはキャビティに連通する窓口が開設される。
【００１４】
カーテンは、取付けホルダ、接続部材、スクリーン及び上記したカーテンを穴無しで取付けるアタッチメントを含み、当該接続部材及びアタッチメントは同じ軸線に沿って取付けホルダの両端に挿入して接続され、当該スクリーンは取付けホルダの下方に接続される。  
【００１５】
従来技術に比べて、本考案の利点は以下のようである。本考案において、駆動部材が連動部材を動かしてロック部材を押圧することで軸方向において調整突き出しブロックを位置規制し、これにより、調整突き出しブロックを取付け壁に当接させてロックし、穴無しで取付けることを図り、穴を開けて壁を破壊する必要がなく、駆動部材と連動部材とが垂直にクロスして連動し、駆動部材は外部に連通し、かつ調整突き出しブロックの端から離れるようになり、操作しやすく、力の強さを制御しやすく、過剰又は過不足に締めることがない。  
【図面の簡単な説明】
【００１６】
【図１】本考案に係る自然状態の構造の模式図である。
【図２】本考案に係る外力の作用による構造の模式図である。
【図３】本考案の分解図である。
【図４】本考案に係る取付座を分解する構造の模式図である。
【図５】本考案に係る連動部材の分解図である。
【図６】本考案に係るカーテン取付けホルダを接続する構造の模式図である。
【図７】本考案に係る１種のカーテンの構造の模式図である。
【図８】本考案に係るもう１種のカーテンの構造の模式図である。
【考案を実施するための形態】
【００１７】
以下、本考案について、図面及び具体的な実施的形態を参照しながらより詳細に説明する。
図１−４に示されるように、カーテンを穴無しで取付けるアタッチメントは、
カーテン取付けホルダ１３に挿入して接続され、その内部にキャビティ１．１が設けられる取付座１と、
【００１８】
取付け壁に当接する調整突き出しブロック２であって、キャビティ１．１に摺動して嵌められ、キャビティ１．１を経由して取付座１の外まで貫通する接続軸２．１が設けられる調整突き出しブロック２と、
【００１９】
キャビティ１．１の幅方向に沿ってキャビティ１．１内に亘って設けられる駆動部材３であって、外部ツールが当該駆動部材３に合わせて駆動しやすいようにその少なくとも一端が取付座１の外部に連通する駆動部材３と、
接続軸２．１を嵌めて接続するとともに、駆動部材３と垂直にクロスして連動するように組立てられる連動部材４と、
連動部材４が螺合して接続され、調整突き出しブロック２の軸方向における移動を規制するためのロック部材５と、を含む。
【００２０】
ここで、上記接続軸２．１は第１弾性部材６によって嵌められ、当該第１弾性部材６の両端は、それぞれ、連動部材４の端部及び調整突き出しブロック２に当接し、自然状態では、当該第１弾性部材６が圧縮状態にあるため、調整突き出しブロック２を外へ突き出すように押圧し、カーテンを取付けるときに仮取付けを図ることができ、カーテンに対して仮位置決めを行う。上記調整突き出しブロック２には第１弾性部材６を収容する収容腔２．２が開設され、当該第１弾性部材６と収容腔２．２の内部の底面とが当接する。摩擦を減少し、使用寿命を延長するために、上記接続軸２．１は、第１弾性部材６と連動部材４との間に介設される第１ガスケット７によって嵌められる。
【００２１】
上記駆動部材３はウォームであり、当該ウォームは、キャビティ１．１内に調整突き出しブロック２から離れる側に設けられ、上記連動部材４はウォームに合わせるネジホイール部４．１、及びロック部材５に合わせるネジ部４．２を含み、上記取付座１にはウォームの端部を外部に連通させるようにキャビティ１．１に連通する貫通孔１．２が開設され、当該ウォームは回転可能にキャビティ１．１内に設けられるが、キャビティ１．１の幅方向に沿って摺動できず、当該構造は、キャビティ１．１内に段差面等の位置規制構造を設けることで実現されることができ、ここで詳細に説明しない。また、ネジ・ホイールウォームのお互いに垂直にクロスして連動する構造を採用することで、作業をスムーズにし、ノイズが小さく、一方、セルフロックを実現でき、逆方向に伝動できず、安全、かつ信頼性が高い。
【００２２】
また、図５に示されるように、上記ネジホイール部４．１とネジ部４．２とが歯面で噛合して連動することで、当該ネジ部４．２がキャビティ１．１内に位置規制され、回転可能であるが、接続軸２．１に沿って摺動することができず、上記接続軸２．１は第２弾性部材８によって嵌められ、上記取付座１には第２弾性部材８を収容する取付腔１．３が設けられ、当該取付腔１．３とキャビティ１．１とが連通し、上記第２弾性部材８の両端は、それぞれ、ネジホイール部４．１及び取付腔１．３の内部の底面に当接し、自然状態では、当該第２弾性部材８が圧縮状態にあるため、ネジホイール部４．１を押圧してネジ部４．２に噛合させ、当該ネジホイール部４．１とネジ部４．２とが歯面で噛合して連動するとともに、第２弾性部材８の弾性による押圧も併せることで、ネジホイール部４．１がネジ部４．２を伝動する時に、捻力が弾力より大きいと、ネジホイール部４．１が逆方向において第２弾性部材８を押圧してネジ部４．２から脱落し、また、弾力の作用で即時にネジ部４．２に噛合するように復位し、脱落することは、ネジ部４．２がすでにロック部材５を、調整突き出しブロック２をロックさせるように押圧し、これにより、調整突き出しブロック２が取付け壁にしっかりと当接し、ネジホイール部４．１を駆動して回転させるようにウォームを締め続ける必要がなくなり、よって、過剰に締めることに起因する部品の損傷や過不足に締めることに起因するカーテンの脱落事故を防止することができる。
【００２３】
摩擦を減少し、使用寿命を延長するために、上記接続軸２．１は、第２弾性部材８とネジホイール部４．１との間に介設される第２ガスケット９によって嵌められる。
【００２４】
上記ロック部材５上には円孔５．１が開設され、当該円孔５．１内にはネジ部４．２の雄ネジに合わせる雌ネジが設けられ、これらを螺合することで、ネジ部４．２が回転すると、ロック部材５を、接続軸２．１の軸方向に沿って往復動させるように押圧し、調整突き出しブロック２をロックする、又はアンロックする。
【００２５】
上記ロック部材５の先端から対称して設けられる２つのガイドアーム５．２が延伸し、上記調整突き出しブロック２にはガイドアーム５．２に合わせるガイド溝２．３が設けられ、これにより、ロック部材５が調整突き出しブロック２をスムーズに押圧してガイドする。
【００２６】
上記接続軸２．１の、取付座１を貫通する端部には、接続軸２．１に螺合して接続されるネジ１０と、ネジ１０と接続軸２．１との間に設けられ、かつ自然状態で取付座１に当接して位置規制する第３ガスケット１１とが設けられ、これにより、調整突き出しブロック２を位置規制し取付座１から脱離することを防止する。
【００２７】
ロック部材５の移動状態を観察するために、上記取付座１の側壁には、キャビティ１．１に連通する窓口１．４開設され、ロック部材５の移動距離を読み取り、調整突き出しブロック２が突き出された距離を知るために、当該窓口１．４の辺縁にスケールが設けられてもよい。
【００２８】
好ましくは、上記した第１弾性部材６、第２弾性部材８は、いずれもバネである。また、調整突き出しブロック２の端部には滑り止めマット１２が設けられるため、摩擦力を増やし、調整突き出しブロック２と取付け壁との当接をより安定させる。
【００２９】
使用する際に、図６に示されるように、本考案のアタッチメントをカーテン取付けホルダに挿入して接続し、その時、調整突き出しブロック２が自然に外から突き出される。人が内側へ調整突き出しブロック２を押圧することで、カーテンを窓枠内に嵌め合い、調整突き出しブロック２が第１弾性部材６の弾力の作用で取付け壁に押し付けられてカーテンが仮取付けられる。
【００３０】
そして、外部ツールによってウォームを駆動し、ウォームに連動してネジホイール部４．１を回転させ、ネジホイール部４．１に連動してネジ部４．２を回転させ、ロック部材５が調整突き出しブロック２に突き合わせてそれをロックするまで、ネジ部４．２がロック部材５を調整突き出しブロック２の方向へ移動させるように押圧し、調整突き出しブロック２の弾性移動を防止し、穴無しで取付けることを図る。その時、ウォームを締め続けると、ネジホイール部４．１とネジ部４．２との間に脱落が発生するため、保護する機能を奏し、過剰に締めることに起因する部品の損傷を防止する。
【００３１】
カーテンは、取付けホルダ１３、接続部材１４、スクリーン１５及び上記したカーテン穴無しで取付けるアタッチメントを含み、当該接続部材１４及びアタッチメントは同じ軸線に沿って取付けホルダ１３の両端に挿入して接続され、当該スクリーン１５は取付けホルダ１３の下方に接続される。外部ツールによってウォームが駆動されるために、上記取付けホルダ１３には貫通孔１．２に対応する貫通孔が開設される。
【００３２】
図７に示されるように、ブラインドカーテンを例として、上記スクリーン１５はブラインドであり、当該ブラインドは紐を介して取付けホルダ１３の下方に吊り下げられ、接続部材１４及びアタッチメントは取付けホルダ１３の両端に挿入して接続され、取付けるときに、取付けホルダ１３は横方向において窓枠内に支持されて設けられ、取付けステップは上記どおりであるため、詳しく説明しない。
【００３３】
また、図８に示されるように、ロールカーテンを例として、上記スクリーン１５は巻きスクリーンであり、当該接続部材１４及びアタッチメントは取付けホルダ１３の両端に挿入して接続され、当該接続部材１４及びアタッチメントとの間に、さらに巻き取りロール１６が回転して接続され、巻き取りロール１６と取付けホルダ１３とは平行に配置され、巻きスクリーンが巻き取りロール１６に巻き取られ、取付けるときに、取付けホルダ１３は横方向において窓枠内に支持されて設けられ、取付けステップは上記どおりであるため、詳しく説明しない。
【００３４】
本考案において、駆動部材が連動部材を動かしてロック部材を押圧することで軸方向において調整突き出しブロックを位置規制し、これにより、調整突き出しブロックを窓枠の取付け壁に当接させてロックし、穴無しで取付けることを図り、穴を開けて壁を破壊する必要がなく、駆動部材と連動部材とが垂直にクロスして連動し、駆動部材は外部に連通し、かつ調整突き出しブロックの端から離れるようになり、操作しやすく、力の強さを制御しやすく、過剰又は過不足に締めることがない。
【００３５】
最後に説明することは、上記実施例は本考案の技術案を説明するためのものに過ぎず、本考案を制限するものではない。上記実施例を参照して本考案に対して詳細に説明したが、当業者にとって、上記した各実施例に記載の技術案を補正し、又はその一部の技術的特徴を同等置換することができると理解すべきであり、これらの補正又は置換は、対応する技術案の本質に本考案の各実施例の技術案の思想及び範囲から逸脱させるものではない。
【符号の説明】
【００３６】
１取付座、１．１キャビティ、１．２貫通孔、１．３取付腔、１．４窓口、２調整突き出しブロック、２．１接続軸、２．２収容腔、２．３ガイド溝、３駆動部材、４連動部材、４．１ネジホイール部、４．２ネジ部、５ロック部材、５．１円孔、５．２ガイドアーム、６第１弾性部材、７第１ガスケット、８第２弾性部材、９第２ガスケット、１０ネジ、１１第３ガスケット、１２滑り止めマット、１３取付けホルダ、１４接続部材、１５スクリーン、１６巻き取りロール。
【図１】
0003232395.tif 000003
【図２】
0003232395.tif 000004
【図３】
0003232395.tif 000005
【図４】
0003232395.tif 000006
【図５】
0003232395.tif 000007
【図６】
0003232395.tif 000008
【図７】
0003232395.tif 000009
【図８】
0003232395.tif 000010